(57)【特許請求の範囲】
【請求項１】
キャビネット本体の前部に、前面に鏡を取り付けた扉体と、左右一対の照明装置とを備えたミラーキャビネットであって、
前記キャビネット本体の前部に、左右方向に延伸される支持部を備え、
前記扉体は、前記キャビネット本体の前部に回動自在に設けられ、
前記照明装置は、前記支持部に、左右方向に移動自在かつ縦軸を中心に回転自在に支持されていることを特徴とするミラーキャビネット。
【請求項２】
キャビネット本体の前部に、前面に鏡を取り付けた扉体と、左右一対の照明装置とを備えたミラーキャビネットであって、
前記キャビネット本体の前部に、左右方向に延伸される支持部を備え、
前記扉体は、キャビネット本体の左右方向の中央に位置する中央扉体と、この中央扉体の両側方に位置する側方扉体とからなり、
前記側方扉体は、前記支持部に左右方向に移動自在かつ回動自在に支持され、
前記照明装置は、縦軸を中心に回転自在となるように、前記側方扉体に設けられていることを特徴とするミラーキャビネット。
【請求項３】
前記側方扉体は、第一側方扉体とこれと横並びにヒンジ接続される第二側方扉体とを有し、前記第一側方扉体が前記支持部に左右方向に移動自在かつ回動自在に支持され、
前記照明装置は、前記第一側方扉体と前記第二側方扉体とをヒンジ接続するヒンジ接続部に設けられていることを特徴とする請求項２に記載のミラーキャビネット。
【請求項４】
前記照明装置は、発光体と、この発光体からの光を拡散させて出射面より出射する縦棒状の導光部材とを有することを特徴とする請求項１乃至請求項３のいずれか１項に記載のミラーキャビネット。
【発明の詳細な説明】
【技術分野】
【０００１】
本発明は、鏡の左右両側に照明装置を備えたミラーキャビネットに関する。
【背景技術】
【０００２】
特許文献１には、前面に鏡板を取り付けた中央扉体の左右に、照明装置を固定したミラーキャビネットが提案されている。
【０００３】
このミラーキャビネットは、左右一対の照明装置によって、鏡板の前方に立つ使用者を左右前方から照らすことにより、陰をつくらないようにしたものである。
【先行技術文献】
【特許文献】
【０００４】
【特許文献１】特開２００７−９８０３４号公報
【発明の概要】
【発明が解決しようとする課題】
【０００５】
しかし、特許文献１のミラーキャビネットでは、左右の照明装置は、その照射方向が固定されているため、使用者の姿勢や立ち位置によっては、陰をつくってしまう。
【０００６】
そこで、上記事情を鑑みて、本発明は、使用者の姿勢や立ち位置に対応した照明を行うことができる照明装置付きのミラーキャビネットを提案することを課題とする。
【課題を解決するための手段】
【０００７】
上記課題を解決するための本発明のミラーキャビネットは、キャビネット本体の前部に、前面に鏡を取り付けた扉体と、左右一対の照明装置とを備えたミラーキャビネットであって、前記キャビネット本体の前部に、左右方向に延伸される支持部を備え、前記扉体は、前記キャビネット本体の前部に回動自在に設けられ、前記照明装置は、前記支持部に、左右方向に移動自在かつ縦軸を中心に回転自在に支持されていることを特徴とする。
また、上記課題を解決するための本発明のミラーキャビネットは、キャビネット本体の前部に、前面に鏡を取り付けた扉体と、左右一対の照明装置とを備えたミラーキャビネットであって、前記キャビネット本体の前部に、左右方向に延伸される支持部を備え、前記扉体は、キャビネット本体の左右方向の中央に位置する中央扉体と、この中央扉体の両側方に位置する側方扉体とからなり、前記側方扉体は、前記支持部に左右方向に移動自在かつ回動自在に支持され、前記照明装置は、縦軸を中心に回転自在となるように、前記側方扉体に設けられていることを特徴とする。
【０００８】
また、前記側方扉体は、第一側方扉体とこれと横並びにヒンジ接続される第二側方扉体とを有し、前記第一側方扉体が前記支持部に左右方向に移動自在且つ回動自在に支持され、前記照明装置は、前記第一側方扉体と前記第二側方扉体とをヒンジ接続するヒンジ接続部に設けられていることが好ましい。
【０００９】
また、前記照明装置は、発光体と、この発光体からの光を拡散させて出射面より出射する縦棒状の導光部材とを有することが好ましい。
【発明の効果】
【００１０】
本発明のミラーキャビネットは、左右一対の照明装置をそれぞれ支持部により左右方向に自在に移動させることができるため、使用者から照明装置までの距離や、左右一対の照明装置間の距離を調整することで、使用者の姿勢や立ち位置に対応した照明を行うことができる。
【図面の簡単な説明】
【００１１】
【図１】本発明の第一実施形態のミラーキャビネットを備えた洗面化粧台を示す斜視図である。
【図２】同上のミラーキャビネットを示し、（ａ）は正面図であり、（ｂ）は（ａ）のＡ−Ａ´線の断面図である。
【図３】同上のミラーキャビネットの照明装置を示し、（ａ）は背面図であり、（ｂ）は側面図である。
【図４】本発明の第二実施形態のミラーキャビネットを備えた洗面化粧台を示す斜視図である。
【図５】同上のミラーキャビネットを示し、（ａ）は正面図であり、（ｂ）は（ａ）のＢ−Ｂ´線の断面図である。
【発明を実施するための形態】
【００１２】
以下、本発明を添付図面に示す実施形態に基づいて説明する。図１は、本発明の第一実施形態のミラーキャビネット１を備えた洗面化粧台１００を示し、ミラーキャビネット１は、ボウル部１０１を上面に形成した洗面台１０２上に設置されている。洗面台１０２のボウル部１０１の上方には、蛇口が備えられており、また、洗面台１０２の下方には、引き出し自在な収納棚を複数備えている。以下、ミラーキャビネット１に対して、このミラーキャビネット１を使用する使用者が位置する側を前方とし、その逆側を後方とし、この前後方向及び上下方向に直交する方向を左右方向として説明を行う。
【００１３】
ミラーキャビネット１の主体を構成するキャビネット本体１０には、左右両側と中央部に、前面が開口した収納部１１，１２，１３を形成してある。収納部１１，１２，１３の前面開口は、前面に鏡２を取り付けた開閉自在な扉体３によって夫々閉塞される。扉体３は、例えば、合成樹脂製（詳しくはＡＢＳ樹脂製）である。
【００１４】
扉体３は、キャビネット本体１０の前部の左右方向の中央に位置する中央扉体３０と、この中央扉体３０の左右両側方に位置する側方扉体３１，３２とからなる。この中央扉体３０を閉じることで、中央の収納部１２の前面開口が閉塞され、右側の側方扉体３２を閉じることで右側の収納部１３の前面開口が閉塞され、左側の側方扉体３１を閉じることで左側の収納部１１の前面開口が閉塞される。
【００１５】
左側の側方扉体３１は、横並びの２枚の板体である第一側方扉体３１０と第二側方扉体３１１の側端部同士をヒンジ接続した折り畳み可能な扉体である。第一側方扉体３１０は、一方の側端部がキャビネット本体１０の前部の左端部に回動自在に取り付けられており、他方の側端部が第二側方扉体３１１にヒンジ接続されている。側方扉体３１は、収納部１１の前方開口を閉じる際、第一側方扉体３１０と第二側方扉体３１１とをヒンジ接続するヒンジ接続部６が左右方向の中央側（つまり、右側）に位置するように折り畳まれる。つまり、側方扉体３１は、収納部１１の前方開口を、第一側方扉体３１０で閉塞し、この第一側方扉体３１０の前方に第二側方扉体３１１が重ねられる。第一側方扉体３１０と第二側方扉体３１１は、折り畳んだ際に重なり合う面とは反対側の面にそれぞれ、板状の鏡２が取り付けられている。第一側方扉体３１０と第二側方扉体３１１は、この鏡２を有する面が、使用者が位置する左右方向の中央側（つまり、右側）を向くように拡げられる。
【００１６】
また、この左側の側方扉体３１と同様に、右側の側方扉体３２は、横並びの２枚の板体である第一側方扉体３２０と第二側方扉体３２１の側端部同士をヒンジ接続した折り畳み可能な扉体である。第一側方扉体３２０は、一方の側端部がキャビネット本体１０の前部の右端部に回動自在に取り付けられており、他方の側端部が第二側方扉体３２１にヒンジ接続されている。側方扉体３２は、収納部１３の前方開口を閉じる際、第一側方扉体３２０と第二側方扉体３２１とをヒンジ接続するヒンジ接続部６が左右方向の中央側（つまり、左側）に位置するように折り畳まれる。つまり、側方扉体３２は、収納部１３の前方開口を、第一側方扉体３２０で閉塞し、この第一側方扉体３２０の前方に第二側方扉体３２１が重ねられる。第一側方扉体３２０と第二側方扉体３２１は、折り畳んだ際に重なり合う面とは反対側の面にそれぞれ、板状の鏡２が取り付けられている。第一側方扉体３２０と第二側方扉体３２１は、この鏡２を有する面が、使用者が位置する左右方向の中央側（つまり、左側）を向くように拡げられる。
【００１７】
中央扉体３０は、1枚の板体からなり、前面に鏡２が取り付けられている。中央扉体３０は、一方の側端部がキャビネット本体１０に回動自在に取り付けられている。
【００１８】
中央扉体３０と側方扉体３１，３２は、それぞれ収納部１１，１２，１３を閉じた状態で、前面が略面一となるように設けられている。また、中央扉体３０と側方扉体３１，３２とは、図２（ａ）に示すように、収納部１１，１２，１３を閉じた状態で、中央扉体３０と側方扉体３１，３２との間に所定の間隔Ｌが形成されるように配置される。このようにして形成されたスペースに、後述する照明装置４を配置することによって、中央扉体３０と側方扉体３１，３２とは、照明装置４に邪魔されることなく、開閉することができる。
【００１９】
キャビネット本体１０は、左右一対の照明装置４を備えている。また、キャビネット本体１０の前部の、扉体３（中央扉体３０，側方扉体３１，３２）よりも前方には、左右方向に延伸される支持部５を備えている。この支持部５によって、左右一対の照明装置４はそれぞれ、左右方向に移動自在に支持されている。
【００２０】
支持部５は、上支持部５０と下支持部５１とから構成されている。この上支持部５０は、キャビネット本体１０のうち、扉体３よりも上方位置で、扉体３よりも前方位置に形成されている。また、この下支持部５１は、キャビネット本体１０のうち、扉体３よりも下方位置で、扉体３よりも前方位置に形成されている。上支持部５０及び下支持部５１は、左側の収納部１１の前方から右側の収納部１３の前方に亘って、左右方向に延伸されて形成されている。この上支持部５０と下支持部５１とは、上下に離間して配置され、平面視にて重なる位置に設けられている。
【００２１】
上支持部５０は、図２（ｂ）に示すように、下端部に下方に開口した溝部５２を長手方向（左右方向）に亘って備えており、下支持部５１は、上端部に上方に開口した溝部５３を長手方向（左右方向）に亘って備えている。この溝部５２，５３にガイドされて照明装置４は、キャビネット本体１０の前部の左右方向の略全長に亘って、左右方向に移動可能となっている。
【００２２】
左右一対の照明装置４は、図３に示すように、発光体４０と、縦棒状の導光部材４１とを有する。発光体４０としては、ＬＥＤ（Ｌｉｇｈｔ  Ｅｍｉｔｔｉｎｇ  Ｄｉｏｄｅ）を用いることが好ましい。ＬＥＤは蛍光灯に比べて太陽の波長に近く、鮮明度の高い照明を行うことができる。本実施形態では、照明装置４の上端部に発光体４０が位置し、その下方に導光部材４１が位置している。発光体４０は、カバー４２に取り付けられており、このカバー４２が導光部材４１の上端部に固定されている。
【００２３】
導光部材４１は、長手方向の一端面（上端面）に、発光体４０から発せられた光が入射する入射面４３を有している。この入射面４３に対向する位置に発光体４０は配置されている。また、導光部材４１には、長手方向に沿って光拡散部４４が設けられている。導光部材４１は、出射面４５を備えており、入射面４３から入射された発光体４０からの光が光拡散部４４によって拡散され、この拡散された光が出射面４５から出射される。これによって、上述した構成の導光部材４１は、長手方向に亘って光を出射し、照明装置４は線状に発光する。
【００２４】
照明装置４の長手方向の両端部には、図２（ｂ）に示すように、支持部５との接続用のキャップ４６が取り付けられている。このキャップ４６には、支持部５の溝部５２、５３に嵌まり込む凸部４７が形成されている。
【００２５】
照明装置４には、電源に接続された電源コード４８が、上支持部５０を介して、発光体４０に電気的に接続されて、電気が供給される。なお、発光体４０と電源コード４８とは、直接接続してもよいし、その他の周知の方法で電気的に接続してもよい。
【００２６】
さらに、本実施形態では、照明装置４は、その長手方向の軸（縦軸）を中心に、回転自在に設けられている。本実施形態では、導光部材４１にキャップ４６が固定されており、この導光部材４１が支持部５に対して回転自在である。なお、導光部材４１にキャップ４６を回転自在に取り付け、このキャップ４６に対して導光部材４１が回転自在であってもよい。これにより、照明装置４は、照射方向（出射面４５の向く方向）を自在に調整可能となっている。
【００２７】
なお、上支持部５０または下支持部５１またはその両方には、中央扉体３０と側方扉体３１，３２との間のスペースと正面視で重なる位置に、照明装置４の左右移動を止めるためのストッパー（図示せず）を設けることが好ましい。このようにすることで、照明装置４を左右に移動させる際に、照明装置４をこの位置に簡単に位置させることができる。
【００２８】
以上説明した本実施形態のミラーキャビネット１では、左右一対の照明装置４を、支持部５に沿って左右方向に自在に移動させることができる。本実施形態では、中央扉体３０及び側方扉体３１，３２を閉じた状態でも、中央扉体３０を閉じ、側方扉体３１，３２を開いた状態でも、左右一対の照明装置４の位置をそれぞれ調整できる。
【００２９】
以上のように、左右一対の照明装置４をそれぞれ左右方向に移動させることによって、各照明装置４から使用者までの距離や、左右一対の照明装置４間の距離を、自在に調整することができる。その結果、このミラーキャビネット１では、使用者の姿勢や立ち位置に対応した照明を行うことができる。なお、例えば、左右一対の照明装置４間の距離を長くすることによって照明装置４の出射面４５を直視しにくくすることができる。これにより、鏡２を見る際に、照明装置４を邪魔になりにくくすることができる。また、左右一対の照明装置４の光が重なる箇所を調整することによって、光を効率良く利用できるので、より少ない電力で一定の照度を得ることができる。
【００３０】
また、本実施形態では、照明装置４をその長手方向の軸を中心に回転自在に設けてあるため、左右方向に移動させるだけでなく、回転させることもできる。これにより、照明装置４の照射方向も自在に調整可能となっている。そのため、左右の照明装置４の光が重なる箇所を調整したり、鏡２での反射光を用いた間接照明等を行ったりすることができる。
【００３１】
続いて、図４及び図５に示す本発明の第二実施形態のミラーキャビネット１について説明する。第一実施形態のミラーキャビネット１と同様の構成については図中に同じ符号を入れて説明を省略し、異なる構成について詳しく説明する。
【００３２】
第二実施形態のミラーキャビネット１では、左右に延伸される支持部５（上支持部５０及び下支持部５１）によって、側方扉体３１，３２の第一側方扉体３１０，３２０の一方の側端部が、左右方向に移動自在に支持され、且つ開閉用に回動自在に支持されている。そして、この側方扉体３１,３２の第一側方扉体３１０，３２０と第二側方扉体３１１，３２１とをヒンジ接続するヒンジ接続部６に照明装置４が設けられている。支持部５（上支持部５０及び下支持部５１）は、左側の収納部１１の前方から右側の収納部１３の前方に亘って、左右方向に延伸されて形成されている。上支持部５０は、中央扉体３０よりも前方位置で、中央扉体３０よりも上方位置に配置され、下支持部５１は、中央扉体３０よりも前方位置で、中央扉体３０よりも下方位置に配置されている。
【００３３】
左の照明装置４は、左のヒンジ接続部６の左右方向の中央側（つまり、右側）に配置されており、このヒンジ接続部６にキャップ４６が固定されている。また、右の照明装置４は、右のヒンジ接続部６の左右方向の中央側（つまり、左側）に配置されており、このヒンジ接続部６にキャップ４６が固定されている。このヒンジ接続部６に固定されたキャップ４６に対して、導光部材４１及び発光体４０を備えたカバー４２がこの導光部材４１の縦軸を中心に回転自在となっている。照明装置４は、第一側方扉体３１０，３２０と第二側方扉体３１１，３２１とを折り畳む際に、邪魔にならないようにヒンジ接続部６に対して取り付けられている。また、この照明装置４は、図４の破線で示す左側の側方扉体３１のような開き方や、図４に示す右側の側方扉体３２のような開き方が可能となるようにヒンジ接続部６に対して取り付けられている。
【００３４】
照明装置４の発光体４０には、電源コード４８が、上支持部５０及び第一側方扉体３１０，３２０を介して電気的に接続されている。
【００３５】
照明装置４は、図５（ａ）に示すように、側方扉体３１，３２を閉じた状態で、中央扉体３０と側方扉体３１，３２との間に位置する。
【００３６】
以上説明した第二実施形態のミラーキャビネット１では、第一側方扉体３１０，３２０を、支持部５に沿って左右方向に自在に移動させることができ、且つ、この第一側方扉体３１０，３２０を回動させることができる。これにより、本願発明では、この第一側方扉体３１０，３２０の側端部に備えた左右一対の照明装置４を、左右方向だけでなく前後方向にも自在に移動させることができる。
【００３７】
以上のように、左右一対の照明装置４をそれぞれ前後左右方向に移動させることによって、各照明装置４から使用者までの距離や、左右一対の照明装置４間の距離を、自在に調整することができる。その結果、このミラーキャビネット１では、使用者の姿勢や立ち位置に対応した照明を行うことができる。
【００３８】
また、側方扉体３１，３２が左右にスライドするため、この側方扉体３１，３２の鏡２の使用者に対する角度を所定の角度としたまま、照明装置４を近接させることができる。これにより、見たい姿身を維持したまま、照明装置４の位置を変更して、照度を調整することができる。
【００３９】
また、本実施形態では、照明装置４をその長手方向の軸を中心に回転自在に設けてあるため、前後左右方向に移動させるだけでなく、回転させることもできる。これにより、照明装置４の照射方向も自在に調整可能となっている。
【００４０】
なお、照明装置４は、側方扉体３１，３２を閉じた状態で、中央扉体３０と側方扉体３１，３２との間に位置するため、側方扉体３１，３２を閉じた状態でも、中央扉体３０の前方に位置する使用者を照明することができる。
【００４１】
以上まとめると、第一及び第二実施形態のミラーキャビネット１は、キャビネット本体１０の前部に、前面に鏡２を取り付けた扉体３と、左右一対の照明装置４とを備えている。キャビネット本体１０の前部に、左右方向に延伸される支持部５を備え、照明装置４は、支持部５により左右方向に移動自在である。
【００４２】
このような構成とすることで、第一及び第二実施形態のミラーキャビネット１では、左右一対の照明装置４をそれぞれ、支持部５により左右方向に移動させることができる。そのため、照明装置４から鏡２の前方の使用者までの距離や、左右一対の照明装置４間の距離を調整することができる。これにより、第一及び第二実施形態のミラーキャビネット１では、使用者の姿勢や立ち位置に合わせた照明を行うことができる。
【００４３】
また、第二実施形態のミラーキャビネット１では、扉体３は、キャビネット本体１０の左右方向の中央に位置する中央扉体３０と、この中央扉体３０の両側方に位置する側方扉体３１，３２とからなる。そして、側方扉体３１，３２は、第一側方扉体３１０，３２０とこれと横並びにヒンジ接続される第二側方扉体３１１，３２１とを有し、第一側方扉体３１０，３２０が支持部５に左右方向に移動自在且つ回動自在に支持される。また、照明装置４は、第一側方扉体３１０，３２０と第二側方扉体３１１，３２１とをヒンジ接続するヒンジ接続部６に設けられている。
【００４４】
このような構成とすることで、第二実施形態のミラーキャビネット１では、支持部５に支持される第一側方扉体３１０，３２０を左右に動かしたり、回動させることができる。そのため、第一側方扉体３１０，３２０と第二側方扉体３１１，３２１との間のヒンジ接続部６に設けた照明装置４の位置を、左右だけでなく前後にも調整することができ、使用者の姿勢や立ち位置に合わせた照明がさらにしやすいものとなっている。
【００４５】
また、第一及び第二実施形態のミラーキャビネット１では、照明装置４は、発光体４０と、この発光体４０からの光を拡散させて出射面４５より出射する縦棒状の導光部材４１とを有する。この照明装置４は、縦方向を中心として回転自在に設けられている。
【００４６】
このような構成とすることで、照明装置４を縦方向を中心として回転させることによって、導光部材４１の出射面４５を任意の方向に向けることができる。そのため、照明装置４から鏡２の前方の使用者までの距離や、左右一対の照明装置４間の距離の調整に加えて、照明装置４の出射方向の調整も行うことができ、使用者の姿勢や立ち位置に合わせた照明がさらにしやすいものとなっている。
【００４７】
なお、上述した第一実施形態では、扉体３を中央扉体３０と側方扉体３１，３２とからなる横並びの複数（３つ）の扉体で構成したが、扉体３は１つだけであってもよい。
【００４８】
また、上述した第一及び第二実施形態では、扉体３を横並びに３つ備えたものであったが、２つであってもよいし、４つ以上であってもよい。
【００４９】
また、上述した第一及び第二実施形態では、側方扉体３１，３２は、ヒンジ接続した第一側方扉体３１０，３２０と第二側方扉体３１１，３２１とを折り畳んで閉じるものであったが、折り畳まずに閉じるものであってもよい。その場合、第一側方扉体３１０，３２０及び第二側方扉体３１１，３２１は、両面に鏡２を備えるようにすればよい。
【００５０】
また、上述した第一及び第二実施形態では、側方扉体３１，３２は、第一側方扉体３１０，３２０と第二側方扉体３１１，３２１とをヒンジ接続したものであったが、第二側方扉体３１１，３２１を備えない構成であってもよい。その場合、第一側方扉体３１０，３２０は、両面に鏡２を備えるようにすればよい。
【００５１】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００５２】
１      ミラーキャビネット
２      鏡
３      扉体
４      照明装置
５      支持部
６      ヒンジ接続部
１０    キャビネット本体
３０    中央扉体
３１    側方扉体
３２    側方扉体
４０    発光体
４２    導光部材
４５    出射面
３１０  第一側方扉体
３１１  第二側方扉体
３２０  第一側方扉体
３２１  第二側方扉体
【図１】
0005935002.tif 000002
【図２】
0005935002.tif 000003
【図３】
0005935002.tif 000004
【図４】
0005935002.tif 000005
【図５】
0005935002.tif 000006